(57)【要約】【課題】複数列の端子における並列方向のピッチが異なる場合でも、圧入治具を簡略化できると共に、圧入作業を容易にできるプレスフィットコネクタの提供を課題とする。【解決手段】プレスフィットコネクタ１は、絶縁ハウジング１１と、この絶縁ハウジング１１から突出し所定のピッチで並列に配置された複数の信号用端子（第１端子）１２〜１４と、絶縁ハウジング１１から突出し信号用端子１２〜１４と異なるピッチで並列に配置された複数の電源用端子（第２端子）１５とを備えている。信号用端子１２〜１４の先端及び電源用端子１５の先端に圧入部が形成され、この圧入部が基板１０のスルーホールに圧入されることによって、基板１０に接続される。また、信号用端子１２〜１４の圧入部をスルーホールに圧入すべく、信号用端子１２〜１４に係止された圧入用ブロック１７を備えている。【選択図】図１
2005135669.tif 000002
【特許請求の範囲】
【請求項１】
絶縁ハウジングと、前記絶縁ハウジングから突出し所定のピッチで並列に配置された複数の第１端子と、前記絶縁ハウジングから突出し前記第１端子と異なるピッチで並列に配置された複数の第２端子とを備え、
前記第１端子の先端及び第２端子の先端に圧入部が形成され、前記圧入部が基板のスルーホールに圧入されることによって、前記基板に接続されるコネクタであって、
前記第１端子に係止された圧入用ブロックを備えたコネクタ。
【請求項２】
前記第２端子に着脱自在に係止される圧入治具を備えた請求項１に記載のコネクタ。
【請求項３】
前記圧入治具が前記圧入用ブロックに当接し、前記圧入治具に作用した押圧力が前記第２端子に作用すると共に、前記押圧力が前記圧入用ブロックを介して前記第１端子に作用する請求項２に記載のコネクタ。
【請求項４】
前記第１及び第２端子が略Ｌ字状に形成されている請求項１から３のいずれかに記載のコネクタ。
【請求項５】
前記第１端子及び前記第２端子間に前記圧入用ブロックを支持する支持部材が形成されている請求項１から４のいずれかに記載のコネクタ。
【請求項６】
前記第１端子及び第２端子は、前記圧入部の近傍で前記絶縁ハウジング側に形成された係止片を有し、
前記圧入用ブロック及び前記圧入治具は、前記第１端子又は前記第２端子の前記圧入部を露出させた状態で、前記第１端子又は前記第２端子のそれぞれに嵌め入れられる複数の溝と、前記溝内に形成され前記第１端子又は前記第２端子の係止片に係合する係合部と、を有する請求項１から５のいずれかに記載のコネクタ。
【請求項７】
前記第１端子は信号用の端子であり、前記第２端子は電源用の端子である請求項１から６のいずれかに記載のコネクタ。
【請求項８】
前記第２端子が複数列に亘って設けられている請求項７に記載のコネクタ。
【請求項９】
前記第１端子及び前記第２端子の並列方向と直交し且つ一側面と平行な方向において、前記第１端子と前記第２端子がずれている請求項１から８のいずれかに記載のコネクタ。
【発明の詳細な説明】
【技術分野】
【０００１】
本発明は、コネクタに係り、さらに詳細には自動車などのコンピュータ制御に使用されケーブルを基板に接続する際に好適なプレスフィットタイプのコネクタに関する。
【背景技術】
【０００２】
例えば、自動車のコンピュータ制御装置は、制御ボックスに収容されて座席の下、ダッシュボード内、エンジンルームなどに収容される。このような制御装置に使用されるケーブルを基板に接続するためのコネクタは、システムの機能拡大、信号線の極小化などにより、多極化、ハイブリッド化、端子サイズの多様化が図られている。
【０００３】
従来、この種のコネクタは、並列に配置された複数列の端子を有し、この端子を基板にはんだ付けするのが一般的であった。しかし、コネクタの端子を基板にはんだ付けするためには、はんだ付け装置が必要になると共に、作業工程が複雑になり、そのためコストアップになるなどの問題があった。
【０００４】
そこで、端子をはんだ付けすることなく、基板のスルーホールに圧入するプレスフィットコネクタが提案されている（例えば、特許文献１〜３参照。）。
【０００５】
上記の特許文献１に記載されたコネクタアセンブリは、図３１に示すように、コネクタ１００と、このコネクタ１００の端子を基板１１０に圧入するための押圧ブロック１１１とを有している。
【０００６】
コネクタ１００は、絶縁ハウジング１１２と、この絶縁ハウジング１１２から突出する多数列の直角端子１１３とを有している。各直角端子１１３の先端には、基板１１０のスルーホール１１４に圧入される膨張形状の圧入部１１５が設けられている。また、圧入部１１５の近傍で絶縁ハウジング１１２側には、係止片１１６が設けられている。
【０００７】
一方、押圧ブロック１１１には、コネクタ１００における直角端子１１３の圧入部１１５を露出させた状態で各直角端子１１３に嵌め入れられる溝１１７と、各溝１１７内に形成され各直角端子１１３の係止片１１６に係止される係止部１１８とが設けられている。なお、図３１中の符号１１９は、溝１１７に連通する窓である。
【０００８】
コネクタ１００を基板１１０に接続する場合は、図３２に示すように、コネクタ１００の各直角端子１１３の先端を基板１１０のスルーホール１１４に挿入した状態で保持する。この場合、図３３に示すように、直角端子１１３の圧入部１１５の最大幅がスルーホール１１４の直径より大きいので、圧入部１１５がスルーホール１１４の上端縁に引っかかった状態となる。
【０００９】
この状態で、コネクタ１００の各直角端子１１３に押圧ブロック１１１の溝１１７を嵌め入れる。これにより、溝１１７内の係止部１１８が、直角端子１１３の係止片１１６に係止される。
【００１０】
次に、押圧ブロック１１１を基板１１０側に押圧する。これによって、図３４に示すように、コネクタ１００の各直角端子１１３がスルーホール１１４側に押圧され、圧入部１１５が潰されてスルーホール１１４内に挿入される。これによって、圧入部１１５がスルーホール１１４の内周壁に密着した状態で保持され、コネクタ１００と基板１１０が確実に接続される。
【００１１】
このコネクタアセンブリは、直角端子１１３の並列方向のピッチが全ての列において同一に設定されている。そして、押圧ブロック１１１の溝１１７が略直線状に形成され、この溝１１７内に各列の対応する直角端子１１３が挿入される。
【特許文献１】特表平９−５０１４３５号公報
【特許文献２】実用新案登録第２１１３２１２号公報
【特許文献３】特許第３２４４４４０号公報
【発明の開示】
【発明が解決しようとする課題】
【００１２】
しかしながら、従来は、次に説明するように、端子間のピッチ及び配列によっては、通常の圧入治具を使用できないという問題があった。
【００１３】
この場合、特殊な圧入治具を使用するなど何らかの工夫が必要になり、最悪の場合は、プレスフィットコネクタとして転用できないという問題があった。
【００１４】
すなわち、図３５に示すように、ある列における端子１１３ａと、他の列における端子１１３ｂとが、各端子１１３ａ，１１３ｂの並列方向に対して直角な方向においてずれている場合、端子１１３ａに嵌め入れられる押圧ブロック１１１の溝１１７ａと、端子１１３ｂに嵌め入れられる溝１１７ｂを別々に設ける必要がある。
【００１５】
これらの溝１１７ａ，１１７ｂが離れている場合には、特に問題がない。しかし、溝１１７ａ，１１７ｂが接近している場合には、溝１１７ａ，１１７ｂ内に形成すべき係止部１１８ａ，１１８ｂを完全な形で設けることができないので、押圧ブロック１１１をそのままでは使用できない。
【００１６】
従って、この場合には、溝１１７ａ，１１７ｂの形状を変えるなど、何らかの工夫が必要となるため、押圧ブロック１１１の構成が複雑になると共に、圧入作業が面倒になり、コストアップになる。
【００１７】
本発明は、このような問題に鑑みなされたもので、複数列設けられた端子の並列方向のピッチが異なる場合でも、はんだ付けタイプのコネクタをプレスフィットコネクタに転用できるプレスフィットコネクタの提供を課題とする。
【課題を解決するための手段】
【００１８】
本発明は、前記課題を解決するため、以下の手段を採用した。すなわち、本発明は、絶縁ハウジングと、前記絶縁ハウジングから突出し所定のピッチで並列に配置された複数の第１端子と、前記絶縁ハウジングから突出し前記第１端子と異なるピッチで並列に配置された複数の第２端子とを備え、前記第１端子の先端及び第２端子の先端に圧入部が形成され、前記圧入部が基板のスルーホールに圧入されることによって、前記基板に接続されるコネクタであって、前記第１端子に係止された圧入用ブロックを備えた。
【００１９】
本発明では、第１端子が圧入用ブロックで圧入され、第２端子がコネクタとは別体の圧入治具で圧入される。従って、第１端子と第２端子の並列方向のピッチが異なる場合でも、簡略な構成の圧入治具で圧入できる。
【００２０】
ここで、前記第２端子に着脱自在に係止される圧入治具を備えることができる。
【００２１】
また、前記圧入治具が前記圧入用ブロックに当接し、前記圧入治具に作用した押圧力が前記第２端子に作用すると共に、前記押圧力が前記圧入用ブロックを介して前記第１端子
に作用するようにできる。
【００２２】
この場合は、圧入治具を押圧することによって、第２端子及び第１端子の両方をスルーホールに圧入できる。
【００２３】
また、本発明は、前記第１及び第２端子が略Ｌ字状の場合も適用できる。
【００２４】
また、前記第１端子及び前記第２端子間のピッチが所定の寸法以上であり、前記第１端子及び前記第２端子間に、前記圧入用ブロックを支持する支持部材を形成できる。この場合、圧入用ブロックが押圧治具に作用する押圧力で変形するのを防止できる。
【００２５】
更に、前記第１端子及び第２端子には、前記圧入部の近傍で前記絶縁ハウジング側に形成された係止片を設け、前記圧入用ブロック及び前記圧入治具には、前記第１端子又は前記第２端子の前記圧入部を露出させた状態で前記第１端子又は前記第２端子のそれぞれに嵌め入れられる複数の溝と、前記溝内に形成され前記第１端子又は前記第２端子の係止片に係合する係合部とを設けることができる。
【００２６】
この場合は、圧入用ブロック及び圧入治具の係合部が、第１及び第２端子の係止片に係止され、圧入用ブロック及び圧入治具に作用した押圧力が第１端子及び第２端子に作用する。
【００２７】
また、本発明は、前記第１端子が信号用の端子であり、前記第２端子が電源用の端子である場合に好適である。前記第２端子は、複数列に亘って設けることができる。
【００２８】
更に、本発明は、前記第１端子と前記第２端子の並列方向と直交し且つ一側面と平行な方向において、前記第１端子と前記第２端子が互いにずれている場合に適用できる。
【００２９】
このように、第１端子と第２端子が、その並列方向と一側面上において直交する方向において、互いにずれている場合、そのずれが小さい場合には、従来の圧入治具を使用できないことがある。この場合でも、本発明では、第１端子を圧入用ブロックで圧入し、第２端子を圧入治具で圧入することができる。
【００３０】
なお、上記の各構成は、本発明の趣旨を逸脱しない限り、互いに組み合わせることが可能である。
【発明の効果】
【００３１】
以上説明したように、本発明のコネクタによれば、第１端子が圧入用ブロックで基板のスルーホールに圧入され、第１端子とは異なるピッチの第２端子が、圧入用ブロックとは別体の圧入治具で圧入されるので、圧入治具の構成を簡略化できる。また、圧入治具を押圧することによって、第１端子及び第２端子を押圧できるので、圧入作業が容易になる。
【００３２】
これにより、従来のはんだ付けタイプのコネクタで、端子の並列方向のピッチが異なる場合でも、大きく変更することなくプレスフィットコネクタに転用できる。
【発明を実施するための最良の形態】
【００３３】
以下、本発明の実施の形態を添付した図１から図３０に基づいて説明する。
【００３４】
図１は、本実施の形態に係るプレスフィットコネクタ１を基板１０に装着した状態を示す斜視図である。
【００３５】
図１から分かるように、このプレスフィットコネクタ１は、絶縁ハウジング１１と、この絶縁ハウジング１１から突出し、所定のピッチＰ１で並列に配置された複数の信号用端子（第１端子）１２〜１４と、絶縁ハウジング１１から突出し信号用端子１２〜１４と異なるピッチＰ２で並列に配置された複数の電源用端子（第２端子）１５とを備えている。
【００３６】
また、このプレスフィットコネクタ１は、信号用端子１２〜１４を基板１０のスルーホール１０ａ（図２３参照）に圧入するための圧入用ブロック１７を備えている。なお、電源用端子１５は、プレスフィットコネクタ１とは別体の圧入治具３５（図２４参照）によってスルーホール１０ａに圧入される。
【００３７】
次に、上記の各構成について詳細に説明する。絶縁ハウジング１１は、図２に示すように、長尺な直方体状に形成されている。絶縁ハウジング１１の一側面１１ａには、互いに所定の間隔を開けて柱状のスペーサ１９が複数設けられている。このスペーサ１９は、圧入用ブロック１７と絶縁ハウジング１１との間隔を一定に保持するために使用される。
【００３８】
また、絶縁ハウジング１１の内部には、図３に示すように、相手コネクタ（図示せず）と嵌合するための空洞２０が形成されている。そして、スペーサ１９が設けられた一側面１１ａの反対面が開口されている。空洞２０は相手コネクタに応じて、仕切壁１１ｂによって仕切られている。
【００３９】
更に、絶縁ハウジング１１の一側面１１ａには、図４に示すように、信号用端子１２〜１４及び電源用端子１５を嵌合するための多数の孔２１，２２が設けられている。本例では、図４中の上下方向に、最下段の孔２１ｘ、２段目の孔２１ｙ、３段目の孔２１ｚからなる３列の孔２１が設けられ、その上の列に孔２２が形成されている。最上段の孔２２は、その下の３列の孔２１より大きく形成されている。
【００４０】
上記の信号用端子１２〜１４を嵌入するための３列の孔２１は、並列方向におけるピッチＰ１が同一である。また、これらの３列の孔２１は、その並列方向と直交し且つ一側面１１ａと平行な方向に一列に並んでいる。
【００４１】
電源用端子１５を嵌入するための孔２２は、上記の孔２１のピッチＰ１と異なるピッチＰ２で並列に配置されている。これらの孔２２のうち一部は、その並列方向と直交し且つ一側面１１ａと平行な方向において、上記の孔２１の列２１ａからずれている。
【００４２】
絶縁ハウジング１１の一側面１１ａには、圧入用ブロック１７を支持するため、両端部に位置するリブ状の支持部材２３が設けられている。この支持部材２３は、圧入用ブロック１７（図１参照）に押圧力が作用したときに、端子１２〜１５によって支持されない部分、すなわち端子１２〜１５の並列方向の端子間の距離が大きい部分を支持する。これによって、圧入用ブロック１７の変形を防止できる。
【００４３】
上記の信号用端子１２〜１４及び電源用端子１５は、絶縁ハウジング１１に取り付ける前の段階で、図５に示すように、直線状に形成されている。これらの端子１２〜１５は、その長さが互いに異なっている。
【００４４】
本例では、電源用端子１５が最も長く形成されている。また、この電源用端子１５の断面積は、信号用端子１２〜１４より大きい。これは、電源用端子１５に流れる電流が、信号用端子１２〜１４に比べて大きいからである。
【００４５】
各端子１２〜１５の先端には、圧入部２５が形成されている。この圧入部２５の最大幅は、基板１０のスルーホール１０ａ（図２３参照）の直径より大きく形成されている。圧
入部２５は、基板１０のスルーホール１０ａに圧入されるときに潰されて、スルーホール１０ａの内周壁に密着する。
【００４６】
なお、本実施の形態では、圧入部２５は、その中ほどが膨張する形状となっているが、その形状は本実施の形態に限られるものではないことは、言うまでもない
各端子１２〜１５の圧入部２５の近傍には、係止片２６が形成されている。この係止片２６は、各端子１２〜１５がスルーホール１０ａに圧入されたときに、圧入部２５より絶縁ハウジング１１に近い方に配置される。
【００４７】
また、各端子１２〜１５には、絶縁ハウジング１１に取り付ける際に位置決めをするための突起２７が設けられている。本例では、上述のように端子１２〜１５が製造段階で直線状に形成されている。そして、後述するように、端子１２〜１５が絶縁ハウジング１１に取り付けられた後、中間部が直角に折り曲げられる。
【００４８】
なお、各端子１２〜１５をＬ字状に曲げてから、絶縁ハウジング１１に取り付けることもできる。しかし、直線状の端子１２〜１５を絶縁ハウジング１１に取り付けた後、Ｌ字状に曲げる方が容易である。
【００４９】
図１の圧入用ブロック１７は、図６に示すように、相手コネクタ一個分に相当する端子１２〜１５を全て覆う大きさで、角形ブロック状に形成されている。本例では、一個のプレスフィットコネクタ１に対して、５個の圧入用ブロック１７が設けられている。
【００５０】
この圧入用ブロック１７の内部には、図７に示すように、各端子１２〜１５の並列方向と直交し且つ一側面１１ａと平行な方向に伸びる複数の溝３０が設けられている。
【００５１】
これらの溝３０は、図８に示すように、基板１０及び絶縁ハウジング１１に対向する面３０ａ，３０ｂが開口されている。また、溝３０の閉じられた一方の端部付近に、電源用端子１５を挿入する孔３１が設けられている。
【００５２】
各溝３０の基板１０側に配置される開口付近には、図９に示すように、各端子１２〜１４の係止片２６に係合する凹状の係合部３２が設けられている。この係合部３２は、図１０に示すように、溝３０の両側に対向して設けられている。係合部３２の端縁には、面取り３３が設けられている。
【００５３】
次に、このプレスフィットコネクタ１の組み立て方法、及びプレスフィットコネクタ１を基板１０に装着する方法について説明する。
【００５４】
プレスフィットコネクタ１を組み立てる場合は、まず図１１に示すように、絶縁ハウジング１１の一側面１１ａに設けられた複数列の孔２１，２２のうち、最下段の孔２１ｘに最も短い信号用端子１２を嵌入する。
【００５５】
次に、図１２に示すように、全ての信号用端子１２の中間部を同一方向に９０度折り曲げる。次に、図１３に示すように、下から２段目の孔２１ｙに、２番目に短い信号用端子１３を嵌入する。そして、図１４に示すように、この信号用端子１３を上記信号用端子１２と同一方向に９０度折り曲げる。この場合、信号用端子１２、１３の先端は、互いに所定の間隔を開けて配置される。
【００５６】
続いて、図１５及び図１６に示すように、下から３段目の孔２１ｚへ信号用端子１４を嵌入する。次に、この信号用端子１４を中間部で９０度折り曲げる。信号用端子１２，１３，１４の先端は一定の間隔を開けて一列に配置される。また、信号用端子１２〜１４の
圧入部２５及び係止片２６も一列に配置される（図１７参照）。
【００５７】
これらの信号用端子１２〜１４は、図１７に示すように、絶縁ハウジング１１の空洞２０内に所定の長さだけ突出している。この突出部分１２ａ〜１５ａに、相手コネクタの信号用端子（図示せず）が接続される。
【００５８】
このようにして、全ての信号用端子１２〜１４を絶縁ハウジング１１に取り付けた後、図１８に示すように、圧入用ブロック１７における溝３０（図７参照）を、絶縁ハウジング１１の一側面１１ａ側に向けた状態で、圧入用ブロック１７を上記の一側面１１ａに沿ってスライドさせる。
【００５９】
そして、圧入用ブロック１７の溝３０を信号用端子１２〜１４に嵌め入れる。これにより、図１９に示すように、圧入用ブロック１７が絶縁ハウジング１１に組み付けられる。本例では、圧入用ブロック１７が複数設けられている。
【００６０】
圧入用ブロック１７が絶縁ハウジング１１に取り付けられた後、絶縁ハウジング１１の一側面１１ａに設けられた最上段の孔２２が、圧入用ブロック１７の外側に露出されている。
【００６１】
また、図２０に示すように、圧入用ブロック１７の溝３０内に設けられた係合部３２が、各信号用端子１２〜１４の係止片２６に係止される。信号用端子１２〜１４の圧入部２５は、圧入用ブロック１７の外側に露出されている。
【００６２】
次に、図２１に示すように、圧入用ブロック１７の最上段の孔２２に、直線状の電源用端子１５を嵌入する。そして、電源用端子１５の孔３１を通して、圧入用ブロック１７から突出している部分を９０度折り曲げる。このとき、電源用端子１５の先端を信号用端子１２〜１４の先端に整合させる。これで、プレスフィットコネクタ１の組み立てが完了する。
【００６３】
この状態では、図２２に示すように、信号用端子１２〜１４がピッチＰ１で並列に配列され、電源用端子１５がピッチＰ２で並列に配列されている。
【００６４】
また、一部の電源用端子１５が、信号用端子１２〜１４のそれぞれの並列方向４０と直交する方向の列４１に重なり、他の電源用端子１５が信号用端子１２〜１４の列４１からずれている。
【００６５】
なお、本発明は、全部の電源用端子１５が、信号用端子１２〜１４のそれぞれの並列方向４０と直交し且つ一側面１１ａと平行な方向の列４１からずれている場合にも適用できる。
【００６６】
このプレスフィットコネクタ１を基板１０に装着する場合は、図２３に示すように、プレスフィットコネクタ１の各端子１２〜１５の先端を、基板１０のスルーホール１０ａに挿入する。
【００６７】
そうすると、各端子１２〜１５の圧入部２５が、スルーホール１０ａの上端縁に係止されて停止し、絶縁ハウジング１１の底面が基板１０と略平行な状態となる。
【００６８】
次に、図２４に示すように、プレスフィットコネクタ１に圧入治具３５を取り付ける。なお、図２４は基板１０を省略している。
【００６９】
この圧入治具３５は、図２５に示すように、断面が略Ｌ字状に形成されている。圧入治具３５は、絶縁ハウジング１１と略同一長さに形成されている。これにより、一個の圧入治具３５によって、全ての電源用端子１５及び全ての圧入用ブロック１７を押圧できる。
【００７０】
圧入治具３５の一辺は、押圧力を加える押圧部３６であり、比較的厚く形成されている。また、圧入治具３５の他辺３７には、上記の電源用端子１５に嵌め入れられる複数の溝３８が形成されている。
【００７１】
この溝３８の先端には、図２６に示すように、凹状の係合部３９が設けられている。この係合部３９は、溝３８の両側に設けられている。本例では、図２７に示すように、隣接する溝３８，３８の係合部３９，３９が繋げられている。
【００７２】
圧入治具３５をプレスフィットコネクタ１に取り付けるときは、図２４に示すように、そのＬ字状の内面を圧入用ブロック１７側に向けた状態で、溝３８を電源用端子１５に嵌め入れる。
【００７３】
そして、図２８に示すように、圧入治具３５における押圧部３６の内面３６ａを、圧入用ブロック１７の上面１７ａに当接させる。このときには、圧入治具３５の溝３８に形成された係合部３９が、電源用端子１５の係止片２６に係止される。
【００７４】
この状態で、圧入治具３５の押圧部３６に所定の押圧力Ｆを加える。そうすると、この押圧力Ｆの分力Ｆ１が、圧入治具３５の係合部３９を介して電源用端子１５の係止片２６に作用する。
【００７５】
また、圧入治具３５に加えられた押圧力Ｆの分力Ｆ２が、圧入用ブロック３５に当接している圧入用ブロック１７の係合部３２（図２０参照）を介して、信号用端子１２〜１４の係止片２６に作用する。
【００７６】
これによって、信号用端子１２〜１４及び電源用端子１５が、基板１０側に押圧される。そして、図２９に示すように、各端子１２〜１５の圧入部２５が、基板１０のスルーホール１０ａの内周壁によって潰された状態で、スルーホール１０ａ内に圧入される。これにより、各端子１２〜１５がスルーホール１０ａの内周面に密着する。
【００７７】
このときには、図３０に示すように、プレスフィットコネクタ１が基板１０に装着され、プレスフィットコネクタ１に圧入治具３５が取り付けられた状態となる。この後、圧入治具３５をプレスフィットコネクタ１から取り外す。これによって、プレスフィットコネクタ１の装着が完了し、図１に示す状態となる。
【００７８】
このように、本発明のプレスフィットコネクタ１は、並列方向のピッチＰ１が同一の信号用端子１２〜１４を圧入するため、圧入用ブロック１７が予め組み立てられている。そして、プレスフィットコネクタ１を基板１０に装着する際には、プレスフィットコネクタ１とは別体の圧入治具３５でプレスフィットコネクタ１を基板１０側に押圧する。
【００７９】
従って、信号用端子１２〜１４と電源用端子１５のピッチＰ１，Ｐ２が異なり、しかも信号用端子１２〜１４の並列方向と直交し且つ一側面１１ａと平行な方向において、信号用端子１２〜１４と電源用端子１５とがずれているにもかかわらず、プレスフィットコネクタ１を簡略な構成の圧入治具３５で圧入できる。
【００８０】
また、プレスフィットコネクタ１を基板１０に装着する際には、圧入治具３５を押圧するだけで、電源用端子１５と信号用端子１２〜１４の両方が圧入されるので、作業性が向
上する。
【００８１】
更に、信号用端子１２〜１４及び電源用端子１５の並列方向の端子間の距離が比較的大きい部分に、圧入用ブロック１７を支持する支持部材２３が設けられているので、押圧力Ｆによって圧入用ブロック１７に作用する曲げ応力を小さく抑えることができる。従って、圧入用ブロック１７が押圧力Ｆによって変形するのを防止できる。
【００８２】
信号用端子１２〜１４には、それぞれ端子の他の部分より幅広の係止片２６が形成されているので、各端子間のピッチが狭くなると、電流リークやスパークの可能性がある。本発明では、圧入用ブロック１７を取り付けることにより、電流リークやスパークを防ぐことができる。
【００８３】
なお、本実施形態では、信号用端子１２〜１４及び電源用端子１５を有するプレスフィットコネクタ１について説明したが、本発明は、これ以外の各種の端子を有するプレスフィットコネクタに適用できる。
【図面の簡単な説明】
【００８４】
【図１】実施形態に係るプレスフィットコネクタを基板に装着した状態を示す斜視図である。
【図２】実施形態に係る絶縁ハウジングを示す斜視図である。
【図３】図１のＡ矢視図である。
【図４】図２のＢ矢視図である。
【図５】実施形態に係る信号用端子及び電源用端子を示す図である。
【図６】実施形態に係る圧入用ブロックを示す斜視図である。
【図７】図６のＣ矢視図である。
【図８】図６のＤ−Ｄ断面図である。
【図９】実施形態に係る圧入用ブロックの溝及び係止部を示す図である。
【図１０】図８のＥ矢視図である。
【図１１】実施形態に係る絶縁ハウジングに信号用端子を取り付ける方法を示す斜視図である。
【図１２】実施形態に係る信号用端子を曲げた状態を示す斜視図である。
【図１３】実施形態に係る絶縁ハウジングに信号用端子を取り付ける方法を示す斜視図である。
【図１４】実施形態に係る信号用端子を曲げた状態を示す斜視図である。
【図１５】実施形態に係る絶縁ハウジングに信号用端子を取り付ける方法を示す斜視図である。
【図１６】実施形態に係る信号用端子を曲げた状態を示す斜視図である。
【図１７】実施形態に係る絶縁ハウジングに信号用端子を取り付けた状態を示す断面図である。
【図１８】実施形態に係る信号用端子に圧入用ブロックを取り付ける方法を示す斜視図である。
【図１９】実施形態に係る信号用端子に圧入用ブロックを取り付けた状態を示す断面図である。
【図２０】実施形態に係る端子の係止片及び絶縁ハウジングの係止部を示す断面図である。
【図２１】実施形態に係るプレスフィットコネクタを示す斜視図である。
【図２２】図２１のＦ−Ｆ断面図である。
【図２３】実施形態に係るプレスフィットコネクタを基板に取り付ける方法を示す図である。
【図２４】実施形態に係るプレスフィットコネクタに圧入治具を取り付ける方法示す斜視図である。
【図２５】実施形態に係る圧入治具を示す斜視図である。
【図２６】実施形態に係る圧入治具を示す断面図である。
【図２７】図２６のＧ−Ｇ断面図である。
【図２８】実施形態に係るプレスフィットコネクタを基板に取り付ける方法を示す図である。
【図２９】実施形態に係る各端子を基板のスルーホールに圧入した状態を示す断面図である。
【図３０】実施形態に係るプレスフィットコネクタを基板に取り付ける方法を示す図である。
【図３１】従来例に係るプレスフィットコネクタを示す斜視図である。
【図３２】従来例に係るプレスフィットコネクタを基板に取り付ける方法を示す断面図である。
【図３３】図３２のＸ−Ｘ断面図である。
【図３４】従来例に係るプレスフィットコネクタを基板に取り付けた状態を示す断面である。
【図３５】従来例に係るプレスフィットコネクタの端子と圧入治具の溝との関係を示す図である。
【符号の説明】
【００８５】
１    プレスフィットコネクタ
１０    基板
１０ａ    スルーホール
１１    絶縁ハウジング
１１ａ    一側面
１１ｂ    仕切壁
１２〜１４    信号用端子
１２ａ〜１５ａ    突出部分
１５    電源用端子
１７    圧入用ブロック
１７ａ    上面
１９    スペーサ
２０    空洞
２１，２２    孔
２１ａ    列
２１ｘ    孔
２１ｙ    孔
２１ｚ    孔
２３    支持部材
２５    圧入部
２６    係止片
２７    突起
３０    各溝
３０ａ，３０ｂ    面
３１    孔
３２    係止部
３５    圧入治具
３６    押圧部
３６ａ    内面
３７    他辺
３８    溝
３９    係止部
４０    並列方向
４１    列
１００    コネクタ
１１０    基板
１１１    押圧ブロック
１１２    絶縁ハウジング
１１３ａ，１１３ｂ    端子
１１３    直角端子
１１４    スルーホール
１１５    圧入部
１１６    係止片
１１７    溝
１１７ａ    溝
１１７ａ，１１７ｂ    溝
１１８    係止部
１１８ａ，１１８ｂ    係止部
１１９    窓
Ｐ１，Ｐ２     ピッチ
【図１】
2005135669.tif 000003
【図２】
2005135669.tif 000004
【図３】
2005135669.tif 000005
【図４】
2005135669.tif 000006
【図５】
2005135669.tif 000007
【図６】
2005135669.tif 000008
【図７】
2005135669.tif 000009
【図８】
2005135669.tif 000010
【図９】
2005135669.tif 000011
【図１０】
2005135669.tif 000012
【図１１】
2005135669.tif 000013
【図１２】
2005135669.tif 000014
【図１３】
2005135669.tif 000015
【図１４】
2005135669.tif 000016
【図１５】
2005135669.tif 000017
【図１６】
2005135669.tif 000018
【図１７】
2005135669.tif 000019
【図１８】
2005135669.tif 000020
【図１９】
2005135669.tif 000021
【図２０】
2005135669.tif 000022
【図２１】
2005135669.tif 000023
【図２２】
2005135669.tif 000024
【図２３】
2005135669.tif 000025
【図２４】
2005135669.tif 000026
【図２５】
2005135669.tif 000027
【図２６】
2005135669.tif 000028
【図２７】
2005135669.tif 000029
【図２８】
2005135669.tif 000030
【図２９】
2005135669.tif 000031
【図３０】
2005135669.tif 000032
【図３１】
2005135669.tif 000033
【図３２】
2005135669.tif 000034
【図３３】
2005135669.tif 000035
【図３４】
2005135669.tif 000036
【図３５】
2005135669.tif 000037